(57)【特許請求の範囲】
【請求項１】
電気信号を音響変換するドライバと、該ドライバから出力された音響を増幅して外部に放射するホーンを有するホーン型スピーカを内蔵した遊技機であって、
前記ホーンは前記ドライバの背面側に接続された一端のスロート部から他端のマウス部に向かって断面積を漸増し、
入賞により払出し部より払い出された遊技球を上皿貯留部の流入口または下皿貯留部の流入口へ導くための導通路を前記ホーンと連通させ、
前記ホーンと前記導通路とを連通させる連通口には、遊技球の通過時にのみ該ホーンと該導通路とを連通させる開閉弁が取り付けられ、
前記流入口をホーンマウスとすることで、流入口からは遊技球が貯留部に放出されるとともに、前記ホーンにより増幅された音響が外部に放射される、ことを特徴とする遊技機。
【請求項２】
前記開閉弁は遊技球の重みが作用することで開動作を行うものである、ことを特徴とする請求項１に記載の遊技機。
【請求項３】
前記開閉弁は二以上の遊技球の重みが作用することで開動作を行い、閉状態のときには前記導通路内に一以上の遊技球を保持する、ことを特徴とする請求項２に記載の遊技機。
【発明の詳細な説明】
【技術分野】
【０００１】
本発明は、興趣を盛り立てるために遊技内容に応じた効果音を発生させるホーン型スピーカユニットを内蔵した遊技機に関するものである。
【背景技術】
【０００２】
遊技機の一種としてのパチンコ遊技機（以下単に「パチンコ機」という。）やスロットマシン等には、遊技における興趣を盛り立てるために遊技内容に応じた音楽や合成音声等の演出音を出力するためのスピーカユニットが設けられている。従来の遊技機では最も普及しているコーン型のスピーカユニットが採用されるのが一般的であった。コーン型のスピーカユニットは、円錐状の振動板を用い高音域から低音域まで広い音域を再生する再現力を有しており、現在ではウーファーやミッドレンジ、フルレンジユニットとして活用されている。
【０００３】
一般的なパチンコ機では、コーン型スピーカユニットは遊技者に音がよく聞こえるように、例えばフルレンジユニットの場合はパチンコ機前面の前枠の上部両隅に遊技者側を向けて取り付けられている。
【０００４】
ところでこれまでパチンコ機ではあくまで遊技球を打って沢山の賞球を得ることが目的であるため演出音の音質についてはさほど重要視されていないことも多かった。またスピーカユニットが装着される前枠にそれほどスペース的な余裕がないことからも、一般的にこれまでのスピーカユニットは、他の部材と干渉しない程度の大きさのフルレンジユニットを取り付け板に取り付けたものに過ぎず、音質にこだわるような格別の工夫はなされていなかった。
【０００５】
そのため近年では音質を向上させ遊技の演出音を迫力のあるものとするべく、前面枠の上部両隅に配設したスピーカを主に中高音域専用のものとし、その他に、例えば遊技機本体下部の遊技球を貯留するための上皿形成台と下皿形成台（貯留皿形成台）との間の奥側にコーン型スピーカユニットを用いた低音用のウーファーを配設した遊技機なども存在する。
【先行技術文献】
【特許文献】
【０００６】
【特許文献１】特開２００５−２７９４０号公報
【発明の概要】
【発明が解決しようとする課題】
【０００７】
ところでコーン型スピーカユニットを用いた低音用のウーファーではその配設スペースの関係から大型のスピーカユニットを採用することが困難であった。しかしながら中型のスピーカユニットでは低音域の出力が芳しくないため、迫力ある低音域の演出音を十分に再現することが依然として困難であった。またコーン型スピーカユニットの場合、音波の性質として高音は指向性が鋭くコーンの前方にまっすぐ出る一方、低音はその逆で指向性が鈍いためコーンの四方八方に拡散するため、周囲で遊技する者にとってはその低音が耳障りとなることがあった。
【０００８】
本発明は上記課題を解決するために発案されたものであり、迫力ある低音域の音声（演出音）を十分に再現することにより、遊技の興趣をより高めることが可能な遊技機を提供することを目的とする。
【課題を解決するための手段】
【０００９】
上記課題を解決するため本発明は、電気信号を音響変換するドライバと、該ドライバから出力された音響を増幅して外部に放射するホーンを有するホーン型スピーカを内蔵した遊技機であって、
前記ホーンは前記ドライバの背面側に接続された一端のスロート部から他端のマウス部に向かって断面積を漸増し、
入賞により払出し部より払い出された遊技球を上皿貯留部の流入口または下皿貯留部の流入口へ導くための導通路を前記ホーンと連通させ、
前記ホーンと前記導通路とを連通させる連通口には、遊技球の通過時にのみ該ホーンと該導通路とを連通させる開閉弁が取り付けられ、
前記流入口をホーンマウスとすることで、流入口からは遊技球が貯留部に放出されるとともに、前記ホーンにより増幅された音響が外部に放射される、ことを特徴とする。
【００１１】
また、前記開閉弁は遊技球の重みが作用することで開動作を行うものである、ことが好ましい。
【００１２】
さらに、前記開閉弁は二以上の遊技球の重みが作用することで開動作を行い、閉状態のときには前記導通路内に一以上の遊技球を保持する、ことも好ましい。
【発明の効果】
【００１３】
本発明によれば、迫力ある低音域の演出音を十分に再現することができ、遊技の興趣をより一層高めることが可能な遊技機が提供される。
【図面の簡単な説明】
【００１４】
【図１】基本発明の第一の実施形態としてのパチンコ機の正面側における斜視図である。
【図２】（ａ）は上皿の平面図、（ｂ）はスピーカ付近の斜視図、（ｃ）は（ａ）の上皿付近のＡ−Ａ線断面図である。
【図３】パチンコ機の背面側における斜視図である。
【図４】ガラス扉枠を開放した状態における前面枠、遊技盤等を示す正面図である。
【図５】ガラス扉枠を示す背面図である。
【図６】上皿における遊技球の流れを示す説明図である。
【図７】空間部内のスピーカから出力された音声が遊技者に伝わる様子を示した説明図である。
【図８】基本発明の第二の実施形態としてのパロット機の正面側における斜視図である。
【図９】（ａ）は基本発明の第一の実施形態の第１の変形例における上皿の平面図、（ｂ）は（ａ）の上皿における遊技球の流れを示す説明図である。
【図１０】（ａ）は基本発明の第一の実施形態の第２の変形例における上皿の平面図、（ｂ）は（ａ）の上皿における遊技球の流れを示す説明図である。
【図１１】（ａ）は基本発明の第一の実施形態の第３の変形例における上皿の平面図、（ｂ）は（ａ）の上皿における遊技球の流れを示す説明図である。
【図１２】基本発明の第一の実施形態の第４の変形例における上皿付近の断面図である。
【図１３】基本発明の第一の実施形態の第５の変形例における上皿付近の断面図である。
【図１４】基本発明の第一の実施形態の第６の変形例における上皿の平面図である。
【図１５】基本発明の第一の実施形態の第７の変形例におけるスピーカ付近の斜視図である。
【図１６】基本発明の第一の実施形態の第８の変形例におけるスピーカ付近の斜視図である。
【図１７】基本発明の第一の実施形態の第９の変形例におけるスピーカ付近の斜視図である。
【図１８】基本発明の第二の実施形態の変形例における上皿及びスピーカ付近の断面図であり、（ａ）はフロントパネルを本体枠側から開いた状態を、（ｂ）はフロントパネルを本体枠側へ閉じた状態をそれぞれ示している。
【図１９】実施例１の遊技機の外観斜視図である。
【図２０】スピーカの水平方向断面図である。
【図２１】遊技機背面の構成を示した背面図である。
【図２２】遊技機背面の概略図である。
【図２３】裏パックユニットの構成を説明するための図である。
【図２４】実施例１のホーン型スピーカユニットを設けた遊技機の背面の概念図である。
【図２５】導通路からホーンへ遊技球が流下する様子を示した部分断面図である。
【図２６】実施例２のホーン型スピーカユニットを設けた遊技機の背面の概念図である。
【図２７】導通路からホーンへ遊技球が流下する様子を示した部分断面図である。
【発明を実施するための形態】
【００１５】
以下にまず本発明を創出するきっかけとなった基本発明を具体化したパチンコ遊技機の各実施形態について説明し、その後、本発明の遊技機の特徴的部分であるホーン型スピーカユニットを用いたパチンコ遊技機の実施形態について説明する。なお以下の実施形態ではパチンコ遊技機（以下、単に「パチンコ機」または「遊技機」という。）を具体例に説明するが、本発明はパチンコ機に限られず、パロットなど、遊技球を用いたすべての遊技機に応用して適用することができる。
【００１６】
この基本発明のパチンコ機は、スピーカの配置を工夫することで、当該パチンコ機の遊技者には音声が明瞭に聴取され且つ周囲からは聴取され難くしたものである。すなわち従来のパチンコ機においては、スピーカがパチンコ機本体の上部両隅に配設されている場合にはそこから出力される演出音は周囲に拡散しやすいために他の遊技者にとってはその演出音が騒音となっており、また、スピーカが遊技者の耳から離隔した本体下部であり且つ遊技者から見て上皿の陰になる下皿の奥部に配設されているパチンコ機においては、その遊技者が明瞭に音声を聴取できるようにするためにスピーカの音量を比較的大きめに設定しておく必要があるため、周囲の遊技者にとってはやはりその演出音が煩わしい騒音となっていたところ、この基本発明はこれを改善したものである。
【００１７】
まず最初に、基本発明であるパチンコ機の第一の実施形態について説明する。
本基本発明のパチンコ機は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としてのプリペイドカード２２を投入可能なカード投入口２１を有し、プリペイドカード２２から金額情報の読み出し及び書き込みが可能となっている。
【００１８】
パチンコ機１は、図１乃至図５に示すように、外枠２と、その外枠２の前部に設けられ外枠２の一側部にて開閉可能に支持された前面枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。また、前面枠３は合成樹脂、具体的にはＡＢＳ（アクリロニトリル−ブタジエン−スチレン）樹脂により構成されている。前面枠３の開閉軸線はパチンコ機１の正面から見て左側に上下に延びるように設定されている。尚、外枠２は樹脂により構成されていてもよく、あたかも外枠２及び前面枠３が一体物に見えるように構成されていてもよい。
【００１９】
前面枠３には、後述する下皿ユニット５１を除く前面枠３の前面側を覆うように、ガラス扉枠４が開閉自在に設けられている。尚、ガラス扉枠４が基本発明の開閉枠を、前面枠３が基本発明の本体枠をそれぞれ構成するものである。また、後述する上皿５４を除いて外枠２，前面枠３及びガラス扉枠４を含むパチンコ機１のすべての構成部材が基本発明の本体を構成するものである。また、ガラス扉枠４の開閉軸線（軸支部）もパチンコ機１の正面から見て左側に上下に延びるように設定されている。
【００２０】
詳しくは、ガラス扉枠４の背面図である図５に示すように、ガラス扉枠４の裏側から見て右側の上端部付近に回動軸９１が設けられ、図５に示すように前面枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００２１】
また、ガラス扉枠４には、裏側から一対のガラス４２が並行して取り付けられている。ガラス扉枠４の左右方向の長さは、前面枠３とほぼ同等であり、そのガラス扉枠４によって前面枠３下部に設けられた下皿ユニット５１を除く殆どの部分が覆われるようになっている。
【００２２】
前記前面枠３の後側（ガラス扉枠４の奥、外枠２の内側）には、遊技盤５が着脱可能に装着されている。なお、遊技盤５は、その周縁部が前面枠３の裏側に当接した状態で取り付けられており、図４では、遊技盤５の前面部の略中央部分だけが前面枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、図柄変動表示装置５７、スルーチャッカー１０等が配設されている。図柄変動表示装置５７は、液晶表示部と、当該液晶表示部の周囲に配設されたセンターフレームとを備えている。
【００２３】
尚、図柄変動表示装置５７の制御を行う表示制御基板や、スピーカ５９における音声出力の制御を行う音声制御基板を含む各種の制御基板は、図３に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００２４】
図柄変動表示装置５７の液晶表示部には、例えば左図柄列、中図柄列及び右図柄列の３つの表示列が表示される。各図柄列は複数の図柄によって構成されており、これら図柄が各図柄列毎にスクロールされるように表示画面に可変表示されるようになっている。尚、図柄変動表示装置５７の配設構造については後述する。
【００２５】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生が後述するスピーカ５９から出力される効果音によって報知される。
【００２６】
また、周知のとおり、前記一般入賞口６、可変入賞装置７、作動チャッカー８に遊技球Ｂが入賞することに基づいて、後述する上皿５４（場合によっては下皿５３）に対し所定数の景品球が払い出されるようになっている。また、遊技盤５には、遊技球Ｂの落下方向を適宜分散、調整等するために多数の釘が植設されているとともに、風車９等の各種部材（役物）が配設されている。
【００２７】
さて、前記前面枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００２８】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、前面枠３の内周側の窓孔によって主として遊技領域の外延が確定されており、前面枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図４及び図５参照）。
【００２９】
次に、遊技領域について説明する。本実施の形態では、遊技領域を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００３０】
ここで、ガラス扉枠４について説明する。ガラス扉枠４には、前記遊技領域の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００３１】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図４を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図５に示すように、その左右フレーム部分の裏側において、そのガラス扉枠４を補強するための例えば金属製の補強部材４３，４４が取り付けられている。
【００３２】
併せて、図１及び図４に示すように、ガラス扉枠４の存在していない前面枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００３３】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００３４】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるように湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。
【００３５】
図２（ａ）は上皿５４の平面図、（ｂ）はスピーカ５９付近の斜視図、（ｃ）は（ａ）の上皿のＡ−Ａ線断面図であり、図２（ａ）では、上皿５４が取り付けられるガラス扉枠４を点線で示している。また、図２（ｃ）に示すように、後壁部５４ｄの上縁が丸みを帯びた断面形状に形成されているので、極めて安全性が高い。例えば、遊技者が指を移動させる際に後壁部５４ｄに触れた場合にも、遊技者の指を傷つけることが防止される。
【００３６】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００３７】
ここで、上皿５４の貯留部５４ａにおける遊技球Ｂの流れについて、図６を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００３８】
ガラス扉枠４の窓部４１下方には、遊技球の貸し出しに関する操作を行うための貸球操作部４６が設けられ、さらに下方には、基本発明の音声出力部を構成するスピーカ５９が配設されている。貸球操作部４６は、図１に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００３９】
スピーカ５９は、図示しない接続コードを介して音声制御基板と電気的に接続されたスピーカ本体５９ａと、スピーカ本体５９ａを収納するケース５９ｂとから構成される。ケース５９ｂ前面部には、多数の小孔が形成されており、スピーカ本体５９ａから出力される音声が外部から聴こえやすくなっている。そして、スピーカ５９は、上皿５４の後壁部５４ｄとガラス扉枠４との間に形成された空間部５４ｈ内に配設されている。すなわち、スピーカ５９は、ガラス扉枠４において空間部５４ｈを挟んで上皿５４の後壁部５４ｄに対向する領域に固着されている。また、スピーカ５９は、スピーカ本体５９ａ前面部が当該遊技者方向を向くように傾斜配置されている。
【００４０】
ガラス扉枠４の周囲（例えばコーナー部分や窓部４１の周縁）には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、遊技盤５に設ける構成（コーナー飾りと称される電飾部材６２を遊技盤５のコーナー部等に配設する）としてもよいし、場合によっては前面枠３に設ける構成としてもよい。更には、前後一対のガラス４２間に配設する構成としてもよい。
【００４１】
また、周知のとおり、前面枠３が外枠２に対し閉じられると自動的にロックがかかるようになっており、所定のキー操作が行われることによりロックが解除されるようになっている。同様に、ガラス扉枠４が前面枠３に対し閉じられると自動的にロックがかかり、別途のキー操作が行われることによりロックが解除されるようになっている。このようにロック及びロック解除を行うためのロック機構が前面枠３の右下部、つまり下皿ユニット５１の右端部に設けられている。ロック機構には、鍵穴を有するキーシリンダ（解除キー）５５、前面枠３及び外枠２間でのロック及び解除を行うための第２ロック機構が含まれる。本実施の形態では、最も幅狭で、遊技領域の拡張を阻害する前面枠の右中央部ではなく、比較的にスペースにゆとりのある前面枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００４２】
勿論、最も幅狭な部分以外であれば、上記以外の部位に設けてもよく、例えば、前面枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００４３】
以上詳述したことから明らかなように、本実施形態によれば、上皿５４の貯留部５４ａの一部を本体（ガラス扉枠４）より離間して形成することによって貯留部５４ａと本体（ガラス扉枠４）との間に空間部５４ｈを形成すると共に、空間部５４ｈ内に音声出力部としてのスピーカ５９を配設したので、当該遊技者に音声を明瞭に聴取させることができると共に、周囲の遊技者からは聴取され難くすることができる。すなわち、図７に示すように、当該パチンコ機１で遊技を行う遊技者の頭部は空間部５４ｈの上方に位置しており、パチンコ機１本体の上下方向略中央に位置し且つ遊技者頭部から近い上皿貯留部５４ａとガラス扉枠４との間の空間部５４ｈ内でスピーカ５９によって出力された音声が当該遊技者の耳に直接到達するので、音量が比較的小さく設定された場合でも、当該遊技者は音声を明瞭に聴取することができる。特に、本実施形態では、スピーカ５９が遊技者方向に向けて傾斜配置されているので、より直接的に音声が遊技者の耳に到達し、遊技者は音声を一層明瞭に聴取することができる。
【００４４】
一方、上皿貯留部５４ａとガラス扉枠４とによって上下方向以外が囲まれた空間部５４ｈ内で音声が出力された音声は周囲に大きく広がらないので、周囲の遊技者からは当該パチンコ機１の音声が聴取され難い。よって、周囲の遊技者が当該パチンコ機１から出力される音声によって煩わされることが防止される。さらに、例えば、大当り発生の期待感が高まるリーチ遊技状態に当該パチンコ機１から発せられる効果音（「リーチ」等の音声や音楽）に周囲の遊技者が殆ど気づかないため、当該パチンコ機１の図柄変動表示装置５７等を他の遊技者から覗き込まれて当該遊技者が不快な気分にさせられることを防止することができる。加えて、スピーカ５９が空間部５４ｈ内に配設されることにより、他の部材の配置の邪魔にならないという利点がある。
【００４５】
また、スピーカ５９をガラス扉枠４に固着した状態で上皿５４を取り付けることにより、音声出力部としてのスピーカ５９が空間部５４ｈ内に配設される構造を容易且つ確実に形成することができる。また、底面部５４ｂ上には整流部５４ｅが設けられ、整流部５４ｅには遊技球誘導用の傾斜壁５４ｋが形成されて遊技球の流路が徐々に狭まっているので、貯留された遊技球を一列に整列させて供給口５４ｒより発射装置３１側へ確実に流下させることができる。特に、遊技球誘導用の傾斜壁５４ｋが前壁部５４ｃ側だけでなく、後壁部５４ｄ側にも形成されているので、遊技球が後壁部５４ｄ側で滞ることなく供給口５４ｒに向かって誘導される。
【００４６】
また、整流部５４ｅは、底面部５４ｂ上で前後方向に延設され且つ前方側から供給口５４ｒが設けられる後方側に向かって下り傾斜する直線部５４ｆを備えている。よって、流入口５４ｌから底面部５４ｂ上に流入した遊技球は、前壁部５４ｃ側へ凸状に形成された後壁部５４ｄを迂回して供給口５４ｒへ向かう経路に沿って転動し、整流部５４ｅの直線部５４ｆにおいて一列に円滑に整列されて供給口５４ｒより発射装置３１側へ確実に流下する。
【００４７】
次に、基本発明の第二の実施形態について、図８を参照しつつ説明する。第二の実施形態は、複数種類の図柄が表示された複数の回転リールを有し、各回転リールの回転停止時の図柄の組合わせに基づく入賞態様に応じて遊技球が払い出されるパロット遊技機（以下、単に「パロット機」と称する）である。本実施形態のパロット機１０１は、図８に示すように、正面側に開口すると共に、複数種類の図柄が表示された図示しない複数（３個）の回転リールが収容される本体枠１２０と、本体枠１２０の前面を覆うように開閉可能に取り付けられ、各回転リールの図柄を視認可能な表示窓１６３を設けた合成樹脂製のフロントパネル１６０とを備えている。
【００４８】
また、フロントパネル１６０には、装飾ランプ１６２、前方へ突出する台状に形成された上皿１５４、払い出された遊技球又は上皿１５４より誘導された遊技球を受けて貯留する下皿１７０等が設けられている。上皿１５４の上面には、各回転リールの回転停止時の図柄の組合わせに基づく入賞態様に応じてフロントパネル１６０の払出し口１４５より払い出された遊技球及び遊技者により投入された遊技球を貯留する貯留部１５４ａ、払出し口１４５より払い出された遊技球を貯留部１５４ａへ流入させる流入口１５４ｌ、及び貯留部１５４ａに貯留された遊技球をフロントパネル１６０の供給穴１４９を通して本体側へ供給する供給口１５４ｒが設けられている。
【００４９】
上皿１５４の貯留部１５４ａは、流入口１５４ｌ及び供給口１５４ｒに連続する底面部１５４ｂと、底面部１５４ｂの周囲を取り囲むように立設された前壁部１５４ｃと、底面部１５４ｂを挟んで前壁部１５４ｃと対向するように流入口１５４ｌと供給口１５４ｒとの間に立設され且つ前壁部１５４ｃ側へ凸状となるように湾曲形成された後壁部１５４ｄとを有している。底面部１５４ｂは、左右方向に細長く且つ本体側から前方へ張り出すように形成されている。また、底面部１５４ｂ後部の流入口１５４ｌと供給口１５４ｒとの間には前方側へ凹状をなす凹状輪郭部が形成され、上述した後壁部１５４ｄは凹状輪郭部に沿って立設されている。後壁部１５４ｄは、左右方向中央部でフロントパネル１６０より数十ｍｍ程度（例えば、３０〜５０ｍｍ）前方側へ離間しており、後壁部１５４ｄとフロントパネル１６０との間に空間部１５４ｈが形成される構造となっている。
【００５０】
フロントパネル１６０の回転リールを臨む窓部１４１下方には、基本発明の音声出力部を構成するスピーカ１５９が設けられている。スピーカ１５９は、第一の実施形態のスピーカ５９と同様の構成を有する装置であり、上皿１５４の後壁部１５４ｄとフロントパネル１６０との間に形成された空間部１５４ｈ内に配設されている。すなわち、スピーカ１５９は、フロントパネル１６０において空間部１５４ｈを挟んで上皿１５４の後壁部１５４ｄに対向する領域に固着されている。また、スピーカ１５９は、前面部が当該遊技者方向を向くように傾斜配置されている。
【００５１】
また、前壁部１５４ｃの上面には、クレジットされている遊技球を投入するためのベットスイッチ１６５や、クレジットされている遊技球を払い出すためのキャンセルスイッチ１６６が設けられている。また、前壁部１５４ｃの前面は操作部１６４となっており、回転リールの回転起動操作を行うスタートレバー１６７、及び左・中・右の回転リールにそれぞれ対応して設けられたストップスイッチ１６８が設けられている。
【００５２】
以上詳述したことから明らかなように、本実施形態によれば、パロット遊技機１０１において、上皿１５４の貯留部１５４ａの一部を本体側のフロントパネル１６０より離間して形成することによって貯留部１５４ａとフロントパネル１６０との間に空間部１５４ｈを形成すると共に、空間部１５４ｈ内に音声出力部としてのスピーカ１５９を配設したので、当該遊技者に音声を明瞭に聴取させることができると共に、周囲の遊技者からは聴取され難くすることができること、スピーカ１５９が他の部材の配置の邪魔にならないこと等、第一の実施形態と同様の種々の作用効果を奏する。
【００５３】
また、貯留部１５４ａの後端で左右に離間して設けられた流入口１５４ｌと供給口１５４ｒとの間に空間部１５４ｈを形成したので、空間部１５４ｈのサイズを大きくして情報表示部１５７の設置領域等を充分に確保することができる。また、空間部１５４ｈが貯留部１５４ａの左右方向中央に形成されているので、貯留部１５４ａを構成する樹脂部材において左右均等な強度を確保することができる。また、貯留部１５４ａの全体形状が流入口１５４ｌ側と供給口１５４ｒ側とを両端とし且つ前方側へ湾曲するアーチ状に形成されているので、アーチ形状の内周側部分となる貯留部１５４ａとフロントパネル１６０との間に確実に空間部１５４ｈを形成することができる。
【００５４】
尚、基本発明は上述した各実施の形態に限定されるものではなく、基本発明の主旨を逸脱しない範囲で種々の変更を施すことが可能である。例えば、前記第一の実施形態では、ガラス扉枠４に上皿５４が設けられる例を示したが、ガラス扉枠の下方に別体で前面枠３に対して開閉可能な上皿板を設け、その上皿板に上皿５４を設ける構成のパチンコ機に対して基本発明を適用してもよい。尚、本変形例において、上皿板が基本発明の開閉枠を構成するものである。或いは、第一の実施形態において、上皿５４を開閉枠としてのガラス扉枠４や上皿板に設けることなく、前面枠３に設ける構成としてもよい。同様に、第二の実施形態では、上皿１５４を開閉枠としてのフロントパネル１６０に設けることなく、本体枠１２０に設ける構成としてもよい。
【００５５】
また、前記第一の実施形態では、貯留部５４ａの整流部５４ｅに直線部５４ｆを前後方向に設ける構成としたが、図９（ａ）に示す第１の変形例のように、ガラス扉枠４に対して斜め方向に延設され且つ前方側から後方側に向かって下り傾斜する直線部５４ｎを設け、この直線部５４ｎを挟んで前壁部５４ｃ側及び後壁部５４ｄ側に傾斜壁５４ｋを設ける構成としてもよい。本変形例によれば、図９（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｎの両側に設けられた傾斜壁５４ｋによって誘導されて一列に整列されると共に、直線部５４ｎ上を下り傾斜する後方側（ガラス扉枠４側）へ転動して金属板５４ｍの下流端より供給穴４９へ流下する。
【００５６】
また、図１０（ａ）に示す第２の変形例のように、底面部５４ｂ上で流入口５４ｌから供給口５４ｒに至る曲線状の経路に沿って延設され且つ前方側から供給口５４ｒが設けられる後方側に向かって下り傾斜する曲線部５４ｏを設け、この曲線部５４ｏを挟んで前壁部５４ｃ側及び後壁部５４ｄ側に傾斜壁５４ｋを設ける構成としてもよい。本変形例によれば、図１０（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは曲線部５４ｏの両側に設けられた傾斜壁５４ｋによって誘導されて一列に整列されると共に、曲線部５４ｏ上を下り傾斜する後方側（ガラス扉枠４側）へ転動して金属板５４ｍの下流端より供給穴４９へ流下する。
【００５７】
また、図１１（ａ）に示す第３の変形例のように、底面部５４ｂ上で供給口５４ｒに対して流入口５４ｌとは反対側（右側）にて左右方向に延設され且つ供給口５４ｒが設けられる左方向に向かって下り傾斜する直線部５４ｐを設け、この直線部５４ｐを挟んで前壁部５４ｃ側及び後壁部５４ｄ側に傾斜壁５４ｋを設ける構成としてもよい。本変形例によれば、図１１（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｐの両側に設けられた傾斜壁５４ｋによって誘導されて一列に整列されると共に、直線部５４ｐ上を下り傾斜する左側へ転動して金属板５４ｍの下流端より供給穴４９へ流下する。
【００５８】
また、前記第一の実施形態では、スピーカ５９をガラス扉枠４側に固着する構成としたが、上皿５４の後壁部５４ｄに固着する構成としてもよい。或いは、図１２に示す第４の変形例のように、ガラス扉枠４と上皿後壁部５４ｄとに固着する構成としてもよい。本変形例では、スピーカ５９が前後両側で固着されているので、取り付け強度が確保され、取り付け状態の安定化を図ることができる。例えば、スピーカ５９を上皿後壁部５４ｄに固着した状態で上皿５４をガラス扉枠４に取り付け、さらにスピーカ５９をガラス扉枠４に固着することにより、スピーカ５９が空間部５４ｈ内に配設される構造を容易且つ確実に形成することができる。また、本変形例では、スピーカ５９が上向きに配置されるとともに、空間部５４ｈを画成する内壁面が上方に拡大するテーパ状に形成されているので、遊技者はスピーカ５９から出力された音声を一層明瞭に聴取することができる。尚、本変形例において、空間部５４ｈ内に後壁部５４ｄとガラス扉枠４とを連結する連結部を架設し、その連結部上にスピーカ５９を配設する構成としてもよい。
【００５９】
また、図１３に示す第５の変形例のように、ガラス扉枠４の前面に凹部４ａを形成し、その凹部４ａ内にスピーカ５９の少なくとも一部が配設される構造としてもよい。本変形例によれば、サイズの大きなスピーカ５９でも空間部５４ｈ内に配設することができる。
【００６０】
また、前記第一の実施形態では、空間部５４ｈ内にスピーカ５９を１個配設した例を示したが、図１４に示す第６の変形例のように、スピーカ５９を空間部５４ｈ内に複数（図１４では２個）配設すると共に、空間部５４ｈ内に画面表示可能な表示部５７’を配設する構成としてもよい。本変形例によれば、複数のスピーカ５９からそれぞれ音声が出力されることによって、遊技者は立体的な音響を楽しむことができる。また、空間部５４ｈ内に表示部５７’がスピーカ５９と共に配設されているので、遊技者が表示部５７’に視線を向けることによって両耳が空間部５４ｈに向くため、音声を一層明瞭に聴取させることができる。
【００６１】
また、図１５に示す第７の変形例のように、スピーカ５９を挟んで左右に壁状部材５４ｑを立設する構成としてもよい。本変形例によれば、スピーカ５９の左右に後壁部５４ｄに向かって延びる壁状部材５４ｑが立設されているので、音声出力の指向性が向上して当該遊技機の遊技者にはより一層明瞭に音声を聴取させることができると共に、周囲の遊技者からはより一層聴取され難くすることができる。
【００６２】
また、第一の実施形態において、音声出力部としてのスピーカ５９又はその近傍に発光部を設ける構成としてもよい。例えば、図１６に示す第８の変形例のように、スピーカ５９前面の周囲に発光部としての多数個のＬＥＤ（発光ダイオード）５９ｃを配列してもよい。本変形例によれば、スピーカ５９に設けられたＬＥＤ５９ｃが発光してスピーカ５９自身を目立たせることによって効果的な演出を実現し、遊技の興趣を増大させることができる。
【００６３】
また、図１７に示す第９の変形例のように、後壁部５４ｄのスピーカ５９対向面にスピーカ５９を照明可能な電球５９ｄを設ける構成としてもよい。本変形例によれば、スピーカ５９の近傍に設けられた電球５９ｄがスピーカ５９を照明して目立たせることによって効果的な演出を実現し、遊技の興趣を増大させることができる。
【００６４】
また、前記第二の実施形態において、図１８に示す変形例のように、上皿後壁部１５４ｄと本体枠１２０との間に空間部１５４ｈを形成すると共に、スピーカ１５９が本体枠１２０に固着され且つスピーカ１５９を空間部１５４ｈ内に臨ませる開口部１６０ａがフロントパネル１６０に設けられる構成としてもよい。尚、図１８は、上皿１５４及びスピーカ１５９付近の断面図であり、（ａ）はフロントパネル１６０を本体枠１２０側から開いた状態を、（ｂ）はフロントパネル１６０を本体枠１２０側へ閉じた状態をそれぞれ示している。本変形例によれば、本体枠１２０に固着されたスピーカ１５９がフロントパネル１６０に設けられた開口部１６０ａを介して空間部１５４ｈを臨む位置関係となっている。また、スピーカ１５９をフロントパネル１６０と別体となるように本体枠１２０側へ配置したことにより、フロントパネル１６０の軽量化を図ることができ、フロントパネル１６０の開閉作業の負担を軽減することができる。尚、本変形例において、フロントパネル１６０に開口部１６０ａを覆うと共に、多数の小孔が形成された保護カバーを設け、遊技球の落下等からスピーカ１５９が確実に保護される構成としてもよい。また、本変形例において、本体枠１２０の前面に凹部を形成し、その凹部内にスピーカ１５９の少なくとも一部を配設する構造としてもよい。これにより、サイズの大きなスピーカ１５９でも空間部１５４ｈ内に配設することができる。
【００６５】
また、前記各実施形態において、音声の出力と共に振動を発生させるピエゾスピーカをスピーカ５９又は１５９として用いてもよい。ピエゾスピーカは、音声出力する際に大きな振動を生じさせるので、効果的に上皿貯留部５４ａ内の遊技球の転動を促進して遊技球の滞留を防止することができる。但し、ピエゾスピーカにより音声出力部を構成するのは一例にすぎず、振動を発生しつつ音声を出力する他のスピーカ等を使用してもよい。
【００６６】
（付記）
上述した基本発明の実施形態からは、以下に示す基本発明の各手段を抽出することができる。以下、各手段につき、必要に応じて作用効果等を付記しつつ説明する。
１．遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、音声を出力可能な音声出力部と、を備えた遊技機において、
前記上皿の貯留部の一部を前記本体より離間して形成することによって前記貯留部と前記本体との間に空間部を形成すると共に、その空間部内に前記音声出力部を配設したことを特徴とする遊技機。
【００６７】
手段１によれば、上皿の貯留部の一部を本体より離間して形成することによって貯留部と本体との間に形成された空間部内に音声出力部を配設したので、当該遊技者に音声を明瞭に聴取させることができると共に、周囲の遊技者からは聴取され難くすることができる。すなわち、当該遊技機で遊技を行う遊技者の頭部は空間部の上方に位置しており、本体の上下方向及び左右方向略中央に位置し且つ遊技者頭部から近い上皿貯留部と本体との間の空間部内で音声出力部によって出力された音声が当該遊技者の耳に直接到達するので、音量が比較的小さく設定された場合でも、当該遊技者は音声を明瞭に聴取することができる。一方、貯留部と本体とによって上下方向以外が囲まれた空間部内で出力された音声は周囲に大きく広がらないので、周囲の遊技者からは当該遊技機の音声が聴取され難い。よって、周囲の遊技者が当該遊技機から出力される音声によって煩わされることが防止される。さらに、例えば、大当り発生の期待感が高まるリーチ遊技状態に当該遊技機から発せられる効果音に周囲の遊技者が殆ど気づかないため、当該遊技機の図柄変動表示装置等を他の遊技者から覗き込まれて当該遊技者が不快な気分にさせられることを防止することができる。加えて、音声出力部が空間部内に配設されることにより、他の部材の配置の邪魔にならないという利点がある。
【００６８】
２．前記空間部を画成する内壁面が上方に拡大するテーパ状に形成されたことを特徴とする手段１に記載の遊技機。
手段２によれば、空間部を画成する内壁面が上方に拡大するテーパ状に形成されているので、遊技者は音声出力部から出力された音声を一層明瞭に聴取することができる。
【００６９】
３．前記音声出力部は、遊技者方向に向けて傾斜配置されたことを特徴とする手段１又は２に記載の遊技機。
手段３によれば、音声出力部が遊技者方向に向けて傾斜配置されているので、より直接的に音声が遊技者の耳に到達し、遊技者は音声を一層明瞭に聴取することができる。
【００７０】
４．前記音声出力部は、前記空間部内に複数配設されたことを特徴とする手段１乃至３のいずれかに記載の遊技機。
手段４によれば、空間部内に複数の音声出力部が配設されているので、複数の音声出力部からそれぞれ音声が出力されることによって、遊技者は立体的な音響を楽しむことができる。
【００７１】
５．前記音声出力部は、音声の出力と共に振動を発生させるように構成されたことを特徴とする手段１乃至４のいずれかに記載の遊技機。
手段５によれば、音声出力部は音声の出力と共に振動を発生させるので、音声出力部より上皿に振動が与えられて貯留部内における遊技球の転動を促進して遊技球の滞留を防止することができる。
【００７２】
６．前記音声出力部は、ピエゾスピーカを備えたことを特徴とする手段５に記載の遊技機。
手段６によれば、音声出力部が、音声出力する際に大きな振動を生じさせるピエゾスピーカを備えているので、効果的に上皿貯留部内の遊技球の転動を促進して遊技球の滞留を防止することができる。但し、ピエゾスピーカにより音声出力部を構成するのは一例にすぎず、振動を発生しつつ音声を出力するものであれば音声出力部を構成することが可能であるため、他のスピーカ等を使用してもよい。
【００７３】
７．前記空間部内に、画面表示可能な表示部が配設されたことを特徴とする手段１乃至６のいずれかに記載の遊技機。
手段７によれば、空間部内に画面表示可能な表示部が音声出力部と共に配設されているので、遊技者が表示部に視線を向けることによって両耳が空間部に向くため、音声を一層明瞭に聴取させることができる。
【００７４】
８．前記音声出力部の左右に壁状部材が立設されたことを特徴とする手段１乃至７のいずれかに記載の遊技機。
手段８によれば、音声出力部の左右に壁状部材が立設されているので、音声出力の指向性が向上して当該遊技機の遊技者にはより一層明瞭に音声を聴取させることができると共に、周囲の遊技者からはより一層聴取され難くすることができる。
【００７５】
９．前記音声出力部又はその近傍に発光部が設けられたことを特徴とする手段１乃至８のいずれかに記載の遊技機。
手段９によれば、空間部内に配設された音声出力部又はその近傍に設けられた発光部が発光して音声出力部を目立たせることによって効果的な演出を実現し、遊技の興趣を増大させることができる。
【００７６】
１０．前記発光部は、前記音声出力部に設けられたことを特徴とする手段９に記載の遊技機。
手段１０によれば、音声出力部に設けられた発光部が発光して音声出力部自身を目立たせることによって効果的な演出を実現し、遊技の興趣を増大させることができる。
【００７７】
１１．前記発光部は、前記音声出力部の近傍に設けられ且つその音声出力部を照明可能に構成されたことを特徴とする手段９に記載の遊技機。
手段１１によれば、音声出力部の近傍に設けられた発光部が音声出力部を照明して音声出力部を目立たせることによって効果的な演出を実現し、遊技の興趣を増大させることができる。
【００７８】
１２．前記貯留部は、前記流入口及び前記供給口に連続する底面部と、その底面部の周囲を取り囲むように立設された前壁部と、前記底面部を挟んで前記前壁部と対向して立設され且つ前記前壁部側へ凸状に形成された後壁部とを備え、
前記後壁部と前記本体との間に形成された空間部内に前記音声出力部を配設したことを特徴とする手段１乃至１１のいずれかに記載の遊技機。
手段１２によれば、底面部を挟んで前壁部と対向して立設された後壁部が前壁部側へ凸状に形成されて、後壁部と本体との間に確実に空間部を形成し、その空間部内に音声出力部が配設されるので、当該遊技者に音声を明瞭に聴取させることができると共に、周囲の遊技者からは聴取され難くすることができる。
【００７９】
１３．前記本体は、前記所定の遊技が実行される本体枠と、その本体枠に対して前面側へ開閉可能に設けられ且つ前記上皿が取り付けられる開閉枠とを備え、
前記後壁部と前記開閉枠との間に空間部を形成したことを特徴とする手段１２に記載の遊技機。
手段１３によれば、上皿の後壁部と開閉枠との間に形成された空間部内に音声出力部が配設されるので、当該遊技者に音声を明瞭に聴取させることができると共に、周囲の遊技者からは聴取され難くすることができる。
【００８０】
１４．前記音声出力部は、前記開閉枠に固着されたことを特徴とする手段１３に記載の遊技機。
手段１４によれば、音声出力部を開閉枠に固着した状態で上皿を取り付けることにより、音声出力部が空間部内に配設される構造を容易且つ確実に形成することができる。
【００８１】
１５．前記音声出力部は、前記後壁部に固着されたことを特徴とする手段１３に記載の遊技機。
手段１５によれば、音声出力部を上皿後壁部に固着した状態で上皿を開閉枠に取り付けることにより、音声出力部が空間部内に配設される構造を容易且つ確実に形成することができる。
【００８２】
１６．前記音声出力部は、前記開閉枠と前記後壁部とに固着されたことを特徴とする手段１３に記載の遊技機。
手段１６によれば、音声出力部が開閉枠と後壁部とに固着されているので、音声出力部の取り付け強度が確保され、取り付け状態の安定化を図ることができる。例えば、音声出力部を上皿後壁部に固着した状態で上皿を開閉枠に取り付け、さらに音声出力部を開閉枠に固着することにより、音声出力部が空間部内に配設される構造を容易且つ確実に形成することができる。
【００８３】
１７．前記空間部内に前記後壁部と前記開閉枠とを連結する連結部が架設され、前記音声出力部は前記連結部上に配設されたことを特徴とする手段１３に記載の遊技機。
手段１７によれば、空間部内で後壁部と開閉枠とを連結するように架設された連結部上に音声出力部が配設されることにより、音声出力部が空間部内に配設される構造を容易且つ確実に形成することができる。
【００８４】
１８．前記開閉枠の前面に凹部が形成され、その凹部内に前記音声出力部の少なくとも一部が配設されることを特徴とする手段１３乃至１７のいずれかに記載の遊技機。
手段１８によれば、開閉枠の前面に形成された凹部内に音声出力部の少なくとも一部が配設されるので、サイズの大きな音声出力部でも空間部内に配設することができる。
【００８５】
１９．前記本体は、前記所定の遊技が実行される本体枠と、その本体枠に対して前面側へ開閉可能に設けられ且つ前記上皿が取り付けられる開閉枠とを備え、
前記後壁部と前記本体枠との間に空間部を形成すると共に、前記音声出力部が前記本体枠に固着され且つその音声出力部を前記空間部内へ臨ませる開口部が前記開閉枠に設けられたことを特徴とする手段１２に記載の遊技機。
手段１９によれば、上皿の後壁部と本体枠との間に空間部を形成し、本体枠に固着された音声出力部が開閉枠に設けられた開口部を介して空間部内に臨んでいる。また、音声出力部を開閉枠と別体となるように本体枠側へ配置したことにより、開閉枠の軽量化を図ることができ、開閉枠の開閉作業の負担を軽減することができる。
【００８６】
２０．前記本体枠の前面に凹部が形成され、その凹部内に前記音声出力部の少なくとも一部が配設されることを特徴とする手段１９に記載の遊技機。
手段２０によれば、本体枠の前面に形成された凹部内に音声出力部の少なくとも一部が配設されるので、サイズの大きな音声出力部でも空間部内に配設することができる。
【００８７】
２１．前記開閉枠に前記開口部を覆うと共に多数の小孔が形成された保護カバーが設けられたことを特徴とする手段１９又は２０に記載の遊技機。
手段２１によれば、音声出力部を空間部内へ臨ませる開口部を開閉枠に設けられた保護カバーで覆うことにより、遊技球の落下等から表示部が確実に保護される。また、音声出力部から出力された音声は、保護カバーに形成された多数の小孔を通過するので、遊技者は明瞭に聴取することができる。
【００８８】
２２．前記後壁部の上縁が丸みを帯びた断面形状に形成されたことを特徴とする手段１２乃至２１のいずれかに記載の遊技機。
手段２２に記載の遊技機によれば、後壁部の上縁が丸みを帯びた断面形状に形成されているので、極めて安全性が高い。
【００８９】
２３．前記底面部上に、遊技球を一列に整列させて前記供給口より本体側へ流下させる整流部が設けられたことを特徴とする手段１２乃至２２のいずれかに記載の遊技機。
手段２３によれば、貯留部の底面部上に整流部が設けられているので、遊技球を一列に整列させて供給口より本体側へ流下させることができる。
【００９０】
２４．前記整流部には、前記前壁部側及び前記後壁部側の少なくとも一方に遊技球誘導用の傾斜壁が形成されたことを特徴とする手段２３に記載の遊技機。
手段２４によれば、整流部には、前壁部側及び後壁部側の少なくとも一方に遊技球誘導用の傾斜壁が形成されているので、遊技球が確実に一列に整列され且つ供給口に向かって確実に誘導される。
【００９１】
２５．前記整流部には、前記前壁部側及び前記後壁部側の両方に遊技球誘導用の傾斜壁が形成されたことを特徴とする手段２３に記載の遊技機。
手段２５によれば、整流部において遊技球誘導用の傾斜壁が前壁部側だけでなく、後壁部側にも形成されているので、遊技球が後壁部側で滞ることなく供給口に向かって確実に誘導される。
【００９２】
２６．前記流入口及び前記供給口は、前記貯留部の後端で左右に離間して設けられ、前記後壁部は、前記流入口と前記供給口との間に形成されたことを特徴とする手段２３乃至２５のいずれかに記載の遊技機。
手段２６によれば、貯留部の後端で左右に離間して設けられ流入口と供給口との間に底面部を挟んで前壁部と対向して後壁部が立設され且つその後壁部が前壁部側へ凸状に形成されているので、後壁部と本体との間に確実に空間が形成される。
【００９３】
２７．前記整流部は、前記底面部上で前後方向に延設され且つ前方側から前記供給口が設けられる後方側に向かって下り傾斜する直線部を備えたことを特徴とする手段２６に記載の遊技機。
手段２７によれば、流入口から底面部上に流入した遊技球は、前壁部側へ凸状に形成された後壁部を迂回して供給口へ向かう経路に沿って転動し、底面部上で前後方向に延設され且つ前方側から供給口が設けられる後方側に向かって下り傾斜する整流部の直線部において一列に円滑に整列されて供給口より本体側へ確実に流下する。
【００９４】
２８．前記整流部は、前記底面部上で前記供給口に対して前記払出口とは反対側にて左右方向に延設され且つ前記供給口が設けられる方向に向かって下り傾斜する直線部を備えたことを特徴とする手段２６に記載の遊技機。
手段２８によれば、流入口から底面部上に流入した遊技球は、前壁部側へ凸状に形成された後壁部を迂回して供給口へ向かう経路に沿って転動し、底面部上で供給口に対して払出口とは反対側にて左右方向に延設され且つ供給口が設けられる方向に向かって下り傾斜する整流部の直線部において一列に円滑に整列されて供給口より本体側へ確実に流下する。
【００９５】
２９．前記整流部は、前記底面部上で前記本体に対して斜め方向に延設され且つ前方側から前記供給口が設けられる後方側に向かって下り傾斜する直線部を備えたことを特徴とする手段２６に記載の遊技機。
手段２９によれば、流入口から底面部上に流入した遊技球は、前壁部側へ凸状に形成された後壁部を迂回して供給口へ向かう経路に沿って転動し、底面部上で本体に対して斜め方向に延設され且つ前方側から供給口が設けられる後方側に向かって下り傾斜する整流部の直線部において一列に円滑に整列されて供給口より本体側へ確実に流下する。
【００９６】
３０．前記整流部は、前記底面部上で前記払出口から前記供給口に至る曲線状の経路に沿って延設され且つ前方側から前記供給口が設けられる後方側に向かって下り傾斜する曲線部を備えたことを特徴とする手段２６に記載の遊技機。
手段３０によれば、流入口から底面部上に流入した遊技球は、前壁部側へ凸状に形成された後壁部を迂回して供給口へ向かう経路に沿って転動し、底面部上で払出口から供給口に至る曲線状の経路に沿って延設され且つ前方側から供給口が設けられる後方側に向かって下り傾斜する整流部の曲線部において一列に円滑に整列されて供給口より本体側へ確実に流下する。
【００９７】
３１．前記流入口及び前記供給口は、前記貯留部の後端で左右に離間して設けられ、前記空間部は、前記流入口と前記供給口との間に形成されたことを特徴とする手段１乃至３０のいずれかに記載の遊技機。
手段３１によれば、貯留部の後端で左右に離間して設けられた流入口と供給口との間に空間部を形成したので、空間部のサイズを大きくして音声出力部の配設空間を充分に確保することができる。
【００９８】
３２．前記空間部は、前記貯留部の左右方向中央に形成されたことを特徴とする手段３１に記載の遊技機。
手段３２によれば、空間部が貯留部の左右方向中央に形成されているので、貯留部において左右均等な強度を確保することができる。
【００９９】
３３．前記貯留部の全体形状が、前記流入口側と前記供給口側とを両端とし且つ前方側へ湾曲するアーチ状に形成されたことを特徴とする手段３１又は３２に記載の遊技機。
手段３３によれば、貯留部の全体形状が流入口側と供給口側とを両端とし且つ前方側へ湾曲するアーチ状に形成されているので、アーチ形状の内周側部分となる貯留部と本体との間に確実に空間部を形成することができる。
【０１００】
３４．前記遊技機は、パチンコ遊技機であることを特徴とする手段１乃至３３のいずれかに記載の遊技機。
手段３４によれば、パチンコ遊技機において、当該遊技者に音声を明瞭に聴取させることができると共に、音声が周囲に広がり難くすることができる。
【０１０１】
３５．前記上皿は、遊技盤を臨む窓部にガラスを設けたガラス扉枠に取り付けられたことを特徴とする手段３４に記載の遊技機。
手段３５によれば、上皿をガラス扉枠に取り付けたパチンコ遊技機において、当該遊技者に音声を明瞭に聴取させることができると共に、周囲の遊技者からは聴取され難くすることができる。
【０１０２】
３６．前記上皿は、遊技盤を臨む窓部にガラスが設けられたガラス扉枠の下方にてそのガラス扉枠とは別体で設けられた上皿板に取り付けられたことを特徴とする手段３５に記載の遊技機。
手段３６によれば、上皿をガラス扉枠とは別体の上皿板に取り付けたパチンコ遊技機において、当該遊技者に音声を明瞭に聴取させることができると共に、周囲の遊技者からは聴取され難くすることができる。
【０１０３】
３７．前記遊技機は、複数種類の図柄が表示された複数の回転リールを有し、前記各回転リールの回転停止時の図柄の組合わせに基づく入賞態様に応じて遊技球が払い出されるパロット遊技機であることを特徴とする手段１乃至２２，３１乃至３３のいずれかに記載の遊技機。
手段３７によれば、パロット遊技機において、当該遊技者に音声を明瞭に聴取させることができると共に、周囲の遊技者からは聴取され難くすることができる。
【０１０４】
以上に説明した基本発明の遊技機では、スピーカ５９を遊技球を貯留する上皿５４の後壁部５４ｄとガラス扉枠４との間に形成された空間部５４ｈ内に配設することにより、その遊技機で遊技する遊技者に音声（演出音）を明瞭に聴取させると共に、周囲の遊技者からは聴取され難くするという課題を解決している。しかしながら各図からもわかるようにスピーカ５９を配置する空間部５４ｈは狭小であり、そのためスピーカも比較的小さなものしか採用することができず、迫力ある低音域の演出音を十分に再現することができていなかった。
【０１０５】
本発明は、比較的小型のホーン型用のスピーカ本体を用い、またそのホーンの配置を工夫することで、出力する演出音のうち特に低音域を補強し遊技の興趣をより一層高めるといった課題を解決すべく、この基本発明に代えて、またはこの基本発明とともに遊技機に適用するものである。
【０１０６】
以下、本発明の具体的な実施形態について図面を用いて説明するが、上記の基本発明の実施形態で説明した構成と同様の構成については、同じ符号を付することで重複した説明は省略する。
【０１０７】
本発明の遊技機は、ホーン型スピーカ、より具体的には小型で高性能なバックロードホーン型のスピーカを用い、そのホーン部分の配置を工夫することで、比較的小型のスピーカによっても低音域の演出音を補強することができ、高品質の演出音の再現を可能とすることにより上記課題を解決したものである。
【０１０８】
なおバックロードホーン型のスピーカとは、中高音域の音声をスピーカ本体（ドライバ）の前方に放射し、スピーカ本体の後方から発生した低音をホーンによって増幅する方式のスピーカであり、強い駆動系（磁石）と反応の良い軽量な振動板を持つ比較的小型で高能率なフルレンジのスピーカ本体と、スピーカ本体の後ろ側に、その横断面積が漸増するホーンを組み合わせた基本構成を有している。このホーンは、フロントロードホーン型のようになめらかで短いホーンではなく、できるだけ経路が長くなるように工夫した形状となっている。そしてこのホーン部分は、中高音に比べ相対的に低音のレベルが低くなってしまう高能率スピーカの欠点を補完するために、振動板後方に放射される音を用いて低音域を増強する機能を有している。
【０１０９】
（実施例１）
図１９に本実施例の遊技機（パチンコ機）の外観斜視図を示した。図に示したように、この遊技機３０１の前面には全音域の演出音を出力するための高能率なフルレンジのスピーカ本体（ドライバ）７１が取り付けられており、正面側から見た外観は従来の遊技機と大きく変わったところはない。なお本実施例ではスピーカ本体７１は遊技機正面の上部二隅に配設されているものとしたが、それ以外にも遊技者の頭部のできるだけ近くから演出音を出力することができればその配置や個数が限定されることはない。
【０１１０】
スピーカ本体７１は、遊技機内部の音声制御基板からの出力信号に基づき遊技状態に応じた演出音である音声を出力するための遊技機正面の上部左右二隅に配設された２つのフルレンジのスピーカであり、遊技者の頭部のできるだけ近くから、右側のスピーカの音（右耳用の演出音）は主に遊技者の右耳へ、左側のスピーカの音（左耳用の演出音）は主に遊技者の左耳へ届き、周囲への音の拡散ができるだけ少なくなるような構成となっている。すなわち各スピーカは遊技機のガラス面４ａよりも１０ｃｍ程度遊技者の頭部方向に突起した状態で配設されており、右側のスピーカは遊技者の右耳に向けられ、左側のスピーカは遊技者の左耳に向けられている。このスピーカ部分の水平方向断面図である図２０に示すように、スピーカ本体７１はお椀型に形成された窪である凹部８２の底に配置され、凹部８２の壁面で反射した音はできるだけ指向性を高めて遊技者の耳に効率的に届くようになっている。また凹部８２の前面には凹部８２の開口部に垂直方向に並んだルーバー状の仕切り８３が形成され、さらに凹部８２の遊技機側面側の半分程度の部分に前方に突起・湾曲して凹部８２を１／３程度覆う囲い壁８４が設けられており、この仕切り８３および囲い壁８４によっても演出音の指向性が高められ、隣に座った遊技者にその遊技機の演出音が聴こえ難くなるようになっている。
【０１１１】
なおフルレンジのスピーカ本体７１の前面側から出力される音声（演出音）は主に中高音域の音であり、低音域の音声はスピーカ本体の背面側に設けられたホーンによって増幅されることで補強されるようになっている。このホーンについて説明する前に、まず、図２１の遊技機の背面図を用いて遊技機の背面の構成の概要を説明する。
【０１１２】
遊技機３０１にはその背面（実際には内枠１１２及び遊技盤の背面）において、各種制御基板が上下左右に並べられるようにして又は前後に重ねられるようにして配置されており、さらに、遊技球を供給する払出装置（払出機構）３５８や樹脂製の保護カバー等が取り付けられている。本実施形態では、各種制御基板を２つの取付台に分けて搭載して２つの制御基板ユニットを構成し、それら制御基板ユニットを個別に内枠１１２又は遊技盤の裏面に装着するようにしている。この場合、主基板と音声ランプ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。
【０１１３】
また、払出機構３５８及び保護カバーも１ユニットとして一体化されており、一般に樹脂部分を裏パックと称することもあるため、ここではそのユニットを「裏パックユニット２０３」と称する。
【０１１４】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１１２又は遊技盤の裏面に対して開閉できる構成となっている。これは、各ユニット２０１〜２０３やその他構成が前後に重ねて配置されても、隠れた構成等を容易に確認することを可能とする工夫でもある。
【０１１５】
実際には、図２２の遊技機背面の概略図に示すように各ユニット２０１〜２０３が配置され、取り付けられている。なお図２２において、略Ｌ字状をなす第１制御基板ユニット２０１は遊技機のほぼ中央に配置され、その下方に第２制御基板ユニット２０２が配置されている。また、第１制御基板ユニット２０１に一部重なる領域に、裏パックユニット２０３が配置されている。
【０１１６】
詳しくは、第１制御基板ユニット２０１には、遊技機の背面から見て左端部に支軸部Ｍ１が設けられ、その支軸部Ｍ１による軸線Ａを中心に当該第１制御基板ユニット２０１が開閉可能となっている。また、第１制御基板ユニット２０１には、その右端部（すなわち支軸部と反対側、さらに言えば開放端側）にナイラッチ等よりなる締結部Ｍ２が設けられると共に上端部に係止爪部Ｍ３が設けられており、これら締結部Ｍ２及び係止爪部Ｍ３によって第１制御基板ユニット２０１が遊技機本体に対して固定保持されるようになっている。
【０１１７】
また、第２制御基板ユニット２０２には、遊技機の背面から見て右端部に支軸部Ｍ４が設けられ、その支軸部Ｍ４による軸線Ｂを中心に当該第２制御基板ユニット２０２が開閉可能となっている。また、第２制御基板ユニット２０２には、その左端部（すなわち支軸部と反対側、さらに言えば開放端側）にナイラッチ等よりなる締結部Ｍ５が設けられており、この締結部Ｍ５によって第２制御基板ユニット２０２が遊技機本体に対して固定保持されるようになっている。
【０１１８】
さらに、裏パックユニット２０３には、遊技機の背面から見て右端部に支軸部Ｍ６が設けられ、その支軸部Ｍ６による軸線Ｃを中心に当該裏パックユニット２０３が開閉可能となっている。また、裏パックユニット２０３には、その左端部（すなわち支軸部と反対側、さらに言えば開放端側）にナイラッチ等よりなる締結部Ｍ７が設けられると共に上端部及び下端部にそれぞれ回動式の係止部Ｍ８，Ｍ９が設けられており、これら締結部Ｍ７及び係止部Ｍ８，Ｍ９によって裏パックユニット２０３が遊技機本体に対して固定保持されるようになっている。
【０１１９】
この場合、各ユニット２０１〜２０３の展開方向は同一でなく、第１制御基板ユニット２０１は、遊技機３０１の背面から見て左開きになるのに対し、第２制御基板ユニット２０２及び裏パックユニット２０３は、同右開きになるよう構成されている。
【０１２０】
次に、裏パックユニット２０３の構成を説明する。図２３で遊技機の背面から見た背面図で示したように、裏パックユニット２０３は、樹脂成形された裏パック３５１と遊技球の払出機構部３５２とを一体化したものである。また図２４は本実施例のホーン型スピーカユニットを設けた遊技機の背面の概念図である。
【０１２１】
裏パック３５１は例えばＡＢＳ樹脂により一体成形されており、略平坦状のベース部３５３と、遊技機後方に突出し横長の略直方体形状をなす保護カバー部３５４とを有する。保護カバー部３５４は左右側面及び上面が閉鎖され且つ下面のみが開放された形状をなし、少なくとも表示装置を囲むのに十分な大きさを有する。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置等を露出させることで、所定の検定等を容易に実施することができる。
【０１２２】
また、ベース部３５３には、保護カバー部３５４を迂回するようにして払出機構部３５２が配設されている。すなわち、裏パック３５１の最上部には上方に開口した貯留タンク部としてのタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜する誘導レール部としてのタンクレール３５６が連結され、さらにタンクレール３５６の下流側には縦向きに誘導部としてのケースレール３５７が連結されている。払出手段としての払出装置３５８はケースレール３５７の最下流部に設けられ、払出モータ３５８ａ等の所定の電気的構成により必要個数の遊技球の払出が適宜行われる。そして、払出装置３５８より払い出された遊技球は払出通路である導通路４０１および後述するホーン７３を通じて上皿５４に供給される。
【０１２３】
図２４の概念図に太破線で示したように、遊技機３０１の上部両隅に配設され電気信号を音響変換するドライバであるフルレンジのスピーカ本体７１の後ろ側（背面側）には、スピーカ本体７１から出力された音声、特に低音域の音声を増幅して外部に放射するホーン７３が設けられており、これらがホーン型スピーカユニットを構成している。このホーン７３は、各スピーカ本体（ドライバ）７１に接続された一端のスロート部７３ａから他端のマウス部７３ｂに向かって断面積（流路面積）を漸増している。ここでホーン７３の断面積は一定の割合で漸増していることが好ましいが、スペースの関係から同じ断面積となる区間ができてしまうことは許容される。またホーン７３の断面形状は特に限定されることはなく、また、ホーン経路の長さを長くするために屈曲したり折り畳まれたごとき形状とすることができる。
【０１２４】
より具体的には本実施例の場合、遊技機上部左右二隅に配設されたスピーカ本体７１とホーン７３からなるホーン型スピーカユニットは、直径が８ｃｍ程度の円形のスピーカ本体７１の背面にこれを覆うように中空円柱箱状の空気室７５が設けられており、この空気室７５の背面にはホーン７３の一端である９ｃｍ２程度の四角形状のスロート部７３ａが取り付けられている。スロート部７３ａからは他端のマウス部７３ｂに向かって徐々にその断面積を拡大して伸長することでホーン７３が構成されている。ここで左側のスピーカ本体７１の空気室７５から伸びたホーン７３は、右側のスピーカ本体７１の空気室７５から伸びたホーン７３と遊技機内部の上部位置で合流して１本のホーンとなっている。合流して１本となったホーン７３は、折れ曲がりながら、かつ、マウス部７３ｂに向かって徐々にその断面積を拡大し、遊技機３０１裏面の上部から、払出装置３５８の導通路４０１の上側に被さるようにして遊技機３０１の横側を下方に向かって伸長し、マウス部７３ｂではその断面積（開口部の流路面積）を２４ｃｍ２程度としている。
【０１２５】
そしてそのマウス部７３ｂは正面から見た場合に上皿貯留部５４ａの左端側に開口して形成された流入口５４ｌへとつながっている。なお流入口５４ｌの断面形状は横長の略矩形であるがその断面積は１２ｃｍ２程度（縦横３×４ｃｍ）となっている。そのため遊技機前面において開口する流入口５４ｌよりもはみ出したマウス部７３ｂの前面側部分の壁面は、ホーン７３で増幅された音声（演出音）の放射を妨げないようにメッシュ状に形成されている（図示せず）。そしてマウス部７３ｂはその下辺が流入口５４ｌの右端に向かって下がって傾斜するように形成されている。またホーン７３のマウス部７３ｂは遊技機３０１の正面に着席する遊技者の方向を向くように遊技機正面方向から若干遊技者側に傾斜して形成されている。
【０１２６】
またこのホーン７３の経路の下流域の途中には、入賞により払出装置３５８より払い出された遊技球を上皿貯留部５４ａの流入口５４ｌへ導くための導通路４０１が接続されて連通している。すなわち払出装置３５８より払い出された遊技球は、導通路４０１を通ってホーン７３の下流域でホーン７３の内部に導かれ、ホーン７３の内部を流下してマウス部７３ｂである流入口５４ｌから上皿貯留部５４ａへと放出される。なおホーン７３の内部を流下する遊技球の流下音もこのホーン７３によって増幅されるが、入賞により払出機構３５８より払い出される遊技球の流出音はその遊技者に満足感を与えるものであり、遊技の興趣や興奮度を高める上ではかかる増幅は好ましいものといえる。
【０１２７】
このようにスピーカ本体７１から伸びたホーン７３と払出装置３５８から伸びた導通路４０１とを合流させ、ホーン７３のマウス部７３ｂを上皿貯留部５４ａの流入口５４ｌへとつなげることで、流入口５４ｌからはホーン７３によって増幅された低音域の音声が外部に放射され、また払出装置３５８から払い出された遊技球が上皿貯留部５４ａに放出されることになる。そして音声と遊技球とが流入口５４ｌから放射・放出させて遊技機内部のスペースを有効活用することで、別途大きなコーン型のウーハースピーカを用いることなしに、迫力ある低音域の演出音を十分に再現することができ、遊技の興趣をより高めることができる。
【０１２８】
なおホーン７３によって増幅された低音域の音声はそのマウス部７３ｂから比較的指向性が高い状態で放射されるといった特性があるため、その正面に遊技者が着席すればこれが防音壁の役割をなし、ホーン７３によって増幅した低音域の音声が周囲に拡散しにくくなり、周囲に座った遊技者にその遊技機の演出音を聴こえ難くすることができるといった副次的効果もある。さらにホーン７３はその断面積をマウス部７３ｂに向かって徐々に拡大しているためホーン部分において球詰りが発生することを防止することもできる。
【０１２９】
また図２５（ａ）〜（ｃ）に部分断面図で遊技球が流下する様子を示したように、ホーン７３と導通路４０１とを連通させる連通口７７には、遊技球の通過時にのみホーン７３と導通路４０１とを連通させる開閉弁７８が取り付けられている。この開閉弁７８は、所定強さのスプリング７９を用いて通常時は閉状態を維持しており、閉状態の時にはホーン７３を形成する壁面と面一となるようになっている。そして遊技球が導通路４０１を流下してこの開閉弁７８に接触してこれを押し下げるように付勢し、その付勢力がスプリング７９の弾性力を上回った場合に、はじめて開閉弁７８が開動作を行う。これにより、遊技球が導通路４０１から連通口７７をぬけてホーン７３の下流域に流れ込むことができるようになっている。
【０１３０】
ここで遊技球による付勢力が開閉弁７８のスプリング７９の弾性力を上回る強さは、一つ以上の遊技球の重みが作用することで開動作を行う強さとなっている。このように連通口７７に開閉弁７８を設けるのは、ホーン７３を伝わり増幅される低音域の音声をできるだけホーン外に拡散させずに音抜けよくするためである。
【０１３１】
以上に説明した本実施例の遊技機によれば、小型で全音域の演出音を出力するための高能率で超強力なフルレンジのスピーカを用い、また、スピーカ本体７１の後ろ側にホーン７３を設けることで、低音域用のウーハースピーカを用いることなく、コーン型のスピーカの追従を許さない鮮烈で高速な低音を再現することができる。またホーン７３のマウス部７３ｂを上皿貯留部５４ａの流入口５４ｌへとつなぎ、また、払出装置３５８から伸びた導通路４０１を合流させることで、音声と遊技球とを流入口５４ｌから放射・放出させ、遊技機３０１内部のスペースを有効活用することができる。
【０１３２】
（実施例２）
図２６に本実施例のホーン型スピーカユニットを設けた遊技機の背面の概念図を示した。なお実施例１と同様の構成については同じ符号を付すことで重複した説明は省略する。
【０１３３】
本実施例の遊技機３０１はホーン型スピーカユニットのホーン７３の長さをより長くするためにホーン７３の配置を変更したものである。すなわち、遊技機では裏パックユニット２０３の下方位置、すなわち上皿貯留部５４ａや下皿貯留部５３ａの裏側位置には、比較的空き空間があるため、この部分を有効活用してホーン７３の長さがより長くなるように、その断面積が漸増しながら屈曲し、かつ、下り傾斜を維持するようにして配置されている。そしてホーン７３は、上皿貯留部５４ａからあふれた遊技球を下皿貯留部５３ａに流下させるためのバイパス路８０と連通し、そのマウス部７３ｂが流入口５３ｌへとつなげられている。
【０１３４】
なおマウス部７３ｂの断面積（開口部の流路面積）は下皿貯留部５３ａの流入口５３ｌよりも大きいため、実施例１と同様に、流入口５３ｌからはみ出したマウス部７３ｂの前面側部分の壁面はメッシュ状に形成されている。そのため下皿貯留部５３ａの流入口５３ｌ部分から、低音域の音声（および遊技球と）が放射（・放出）される際にも、その音声が壁面によって遮られることはない。またホーン７３によって増幅された低音域の音声を流入口５４ｌやその周囲から放射させることで、例えば、下皿貯留部５３ａに貯まった遊技球を遊技者が手でつかんで上皿貯留部５４ａに補充する動作などの際に、流入口５４ｌの正面に来た遊技者の手に音声の振動を効果的に体感させることができるため、遊技演出の臨場感をより一層高めることができる。
【０１３５】
本実施例の遊技機３０１には、実施例１で説明した遊技機と同様に、ホーン７３とバイパス路８０とを連通させる連通口７７に、所定強さのスプリングを用いて通常時は閉状態を維持し、遊技球の通過時にのみホーンとバイパス路８０とを連通させる開閉弁７８が取り付けられている。ここでこのスプリングを付勢して開閉弁を開状態とするための付勢力の強さとは、二つ以上の遊技球の重みが作用することで開動作を行う強さとなっている。すなわち一つの遊技球の重みだけでは開閉弁７８は開動作を行わないため、多くの場合、バイパス路８０の連通口７７部分には一つの遊技球が保持されることになる（図２７参照）。なおもちろんこのスプリングの弾性力を、二つ以上の遊技球を保持する強さとすることも可能である。
【０１３６】
このように連通口７７に開閉弁７８を設け、また、開閉弁７８が閉状態のときにバイパス路８０内に一つの遊技球を保持するようにしたのは、ホーンを伝わり増幅される低音域の音声をできるだけ音抜けよくするとともに、開閉弁７８が閉状態の時に導通路に遊技球を保持してふさぐことにより、仮に開閉弁が完全に閉じた閉状態となっておらずわずかに隙間ができた状態であっても、ホーン７３を伝わる音声がホーン７３の外部に漏れ出すことをできるだけ抑えるようにするためである。
【０１３７】
以上に説明したように本実施例の遊技機は、上皿貯留部５４ａや下皿貯留部５３ａの裏側位置の空き空間を利用し、また、ホーン７３にバイパス路８０を連通するように接続した上でそのマウス部７３ｂを下皿貯留部５３ａの流入口５３ｌにつなげることにより、実施例１の効果に加え、より低音域の音声を増幅することができる。
【０１３８】
（付記）
最後に確認事項として上述した実施の形態から抽出される特徴について、必要に応じて効果等を示しつつ説明する。
【０１３９】
［遊技機１］
電気信号を音響変換するドライバと、該ドライバから出力された音響を増幅して外部に放射するホーンを有するホーン型スピーカを内蔵した遊技機であって、
前記ホーンは前記ドライバの背面側に接続された一端のスロート部から他端のマウス部に向かって断面積を漸増し、
入賞により払出し部より払い出された遊技球を上皿貯留部の流入口または下皿貯留部の流入口へ導くための導通路を前記ホーンと連通させ、かつ、該流入口をホーンマウスとすることで、該流出口からは遊技球が貯留部に放出されるとともに、前記ホーンにより増幅された音響が外部に放射される、ことを特徴とする遊技機。
【０１４０】
遊技機１によれば、ホーンによって低音域の音声を増幅することで、別途大きなコーン型のウーハースピーカを用いることなしに、迫力ある低音域の演出音を十分に再現することができ、遊技の興趣をより高めることができる。また、流入口から音声と遊技球とを放射・放出させることで遊技機内部のスペースを有効活用することができる。
【０１４１】
［遊技機２］
上記遊技機１において、前記ホーンと前記導通路とを連通させる連通口には、遊技球の通過時にのみ前記ホーンと前記導通路とを連通させる開閉弁が取り付けられている、ことを特徴とする遊技機。
【０１４２】
遊技機２によれば、ホーンを伝わり増幅される低音域の音声をできるだけホーン外に拡散させずに音抜けよくすることができる。
【０１４３】
［遊技機３］
上記遊技機２において、前記開閉弁は遊技球の重みが作用することで開動作を行うものである、ことを特徴とする遊技機。
【０１４４】
遊技機３によれば、遊技球の通過時以外の時の開閉弁は閉状態を確実に維持させることができる。
【０１４５】
［遊技機４］
上記遊技機３において、前記開閉弁は二以上の遊技球の重みが作用することで開動作を行い、閉状態のときには前記導通路内に一以上の遊技球を保持する、ことを特徴とする遊技機。
【０１４６】
遊技機４によれば、上記の効果に加え、開閉弁が閉状態の時に導通路に保持した遊技球でふさぐことにより、仮に開閉弁が完全に閉じた閉状態となっておらずわずかに隙間ができた状態であっても、ホーンを伝わる音声がホーンの外部に漏れ出すことをできるだけ抑えることができる。
【０１４７】
以上のようにこれらの遊技機１〜４では、比較的大きなコーン型スピーカユニットを用いた低音用のウーファーを用いることなく、比較的小型のフルレンジスピーカユニットによっても、迫力ある低音域の演出音を十分に再現することを可能として、遊技の興趣をより高めることできる。
【産業上の利用可能性】
【０１４８】
本発明は上記形態とは異なるタイプの遊技機、具体的には遊技媒体として遊技球を用いる弾球式の遊技機、いわゆるパチンコ機全般に本発明を適応することができる。例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、パロット、アレンジボール機、雀球等の遊技機として本発明を実施するようにしても良い。
【符号の説明】
【０１４９】
１…パチンコ機，２…外枠，３…前面枠，４…ガラス扉枠，４ａ…ガラス面，５…遊技盤，５ａ…裏パック，５ｄ…払出ユニット，５ｃ…払出発射制御基板ボックス，５ｂ…メイン基板ボックス，６…普通入賞チャッカー，７…可変入賞装置，８…作動チャッカー，９…風車，１０…スルーチャッカー，１１…樹脂ベース，１２…内レール，１３…外レール，２０…カードユニット，２１…カード投入口，２２…プリペイドカード，２５…アウト口，３１…発射装置，４１…窓部，４２…ガラス，４３，４４…補強部材，４５…払出口，４６…貸球操作部，４６ａ…貸出ボタンランプ，４６ｂ…貸出ボタン，４６ｃ…返却ボタン，４６ｄ…度数表示ＬＥＤ，４９…供給穴，５１…下皿ユニット，５２…遊技球発射ハンドル，５３…下皿，５３ａ…下皿貯留部，５４…上皿，５４ａ…貯留部，５４ｂ…底面部，５４ｃ…前壁部，５４ｄ…後壁部，５４ｅ…整流部，５４ｆ…直線部，５４ｇ…球抜きレバー，５４ｈ…空間部，５４ｉ…開閉弁，５４ｊ…球抜き穴，５４ｋ…傾斜壁，５４ｌ…流入口，５４ｍ…金属板，５４ｏ…曲線部，５４ｐ…直線部，５４ｑ…壁状部材，５４ｒ…供給口，５４ｕ…凹状輪郭部，５５…キーシリンダ（解除キー），５６…灰皿，５７…図柄変動表示装置，５７’…表示部，５９…スピーカ，５９ａ…スピーカ本体，５９ｂ…ケース，５９ｃ…ＬＥＤ，５９ｄ…電球，６２…電飾部材，７１…スピーカ本体（ドライバ），７３…ホーン，７３ａ…スロート部，７３ｂ…マウス部，７５…空気室，７７…連通口，７８…開閉弁，７９…スプリング，８０…バイパス路，８２…凹部，８３…仕切り，８４…囲い壁，９１…回動軸，９２…軸受部，９３…突回動軸，１０１…パロット機，１１２…内枠，１２０…本体枠，１４１…窓部，１４５…払出し口，１４９…供給穴，１５４…上皿，１５４ａ…貯留部，１５４ｂ…底面部，１５４ｃ…前壁部，１５４ｄ…後壁部，１５４ｈ…空間部，１５４ｌ…流入口，１５４ｒ…供給口，１５７…情報表示部，１５９…スピーカ，１６０…フロントパネル，１６０ａ…開口部，１６３…表示窓，１６２…装飾ランプ，１６４…操作部，１６５…ベットスイッチ，１６６…キャンセルスイッチ，１６７…スタートレバー，１６８…ストップスイッチ，１７０…下皿，２０１…第１制御基板ユニット，２０２…第２制御基板ユニット，２０３…裏パックユニット，３０１…遊技機，３５１…裏パック，３５２…払出機構部，３５３…ベース部，３５４…保護カバー部，３５４ａ…通気孔，３５５…タンク，３５６…タンクレール，３５７…ケースレール，３５８…払出装置（払出機構），３５８ａ…払出モータ，４０１…導通路
【図１】
0006413592.tif 000002
【図２】
0006413592.tif 000003
【図３】
0006413592.tif 000004
【図４】
0006413592.tif 000005
【図５】
0006413592.tif 000006
【図６】
0006413592.tif 000007
【図７】
0006413592.tif 000008
【図８】
0006413592.tif 000009
【図９】
0006413592.tif 000010
【図１０】
0006413592.tif 000011
【図１１】
0006413592.tif 000012
【図１２】
0006413592.tif 000013
【図１３】
0006413592.tif 000014
【図１４】
0006413592.tif 000015
【図１５】
0006413592.tif 000016
【図１６】
0006413592.tif 000017
【図１７】
0006413592.tif 000018
【図１８】
0006413592.tif 000019
【図１９】
0006413592.tif 000020
【図２０】
0006413592.tif 000021
【図２１】
0006413592.tif 000022
【図２２】
0006413592.tif 000023
【図２３】
0006413592.tif 000024
【図２４】
0006413592.tif 000025
【図２５】
0006413592.tif 000026
【図２６】
0006413592.tif 000027
【図２７】
0006413592.tif 000028